(57)【要約】【課題】局部洗浄ノズルの外表面の性状に適した洗浄水の吐出を行うことで、局部洗浄ノズルの清潔性を保つ。【解決手段】洗浄便座装置は、外表面に親水性層を有し、使用者の局部に向けて洗浄水を吐出する局部洗浄を行う局部洗浄ノズルと、洗浄水が局部洗浄ノズルの外表面の少なくとも上部を伝うように、局部洗浄ノズルに向けて洗浄水を吐出するノズル洗浄を行うノズル洗浄器と、を備えるから、局部洗浄ノズルの外表面を濡らして親水性層の親水性能を適切に発揮させて、局部洗浄ノズルの外表面に汚れが付着しにくいものとしたり、汚れが付着しても落ちやすいものとしたりすることができる。【選択図】図３
2019073895.tif 000002
【特許請求の範囲】
【請求項１】
外表面に親水性層を有し、使用者の局部に向けて洗浄水を吐出する局部洗浄を行う局部洗浄ノズルと、
洗浄水が前記局部洗浄ノズルの外表面の少なくとも上部を伝うように、前記局部洗浄ノズルに向けて洗浄水を吐出するノズル洗浄を行うノズル洗浄器と、
を備える洗浄便座装置。
【請求項２】
請求項１に記載の洗浄便座装置であって、
前記ノズル洗浄器は、洗浄水を吐出する吐出口の向きが、鉛直下向きとは異なる向きとなるように設けられる
洗浄便座装置。
【請求項３】
請求項１または２に記載の洗浄便座装置であって、
前記局部洗浄ノズルを収容し、収容位置と該収容位置よりも前方の洗浄位置との間で前記局部洗浄ノズルの進退移動が可能となるように前壁に開口が設けられたノズルカバーと、
前記ノズル洗浄器として、前記ノズルカバーの前壁における前記開口の上方に前記進退移動の方向に沿った向きで吐出口が設けられる第１ノズル洗浄器と、
前記局部洗浄ノズルが前記洗浄位置を含む前記ノズルカバーから進出した位置にある状態で前記吐出口から洗浄水を吐出するように前記第１ノズル洗浄器への水供給を制御する制御装置と、
を備える洗浄便座装置。
【請求項４】
請求項３に記載の洗浄便座装置であって、
前記制御装置は、前記局部洗浄ノズルによる局部洗浄の終了後に、前記吐出口から洗浄水を吐出するように前記第１ノズル洗浄器への水供給を制御する
洗浄便座装置。
【請求項５】
請求項１ないし４のいずれか１項に記載の洗浄便座装置であって、
前記局部洗浄ノズルを収容し、収容位置と該収容位置よりも前方の洗浄位置との間で前記局部洗浄ノズルの進退移動が可能となるように構成されたノズルカバーと、
前記ノズル洗浄器として、前記ノズルカバー内において、前記収容位置にある前記局部洗浄ノズルの外表面の上部の側方となる位置に吐出口が設けられる第２ノズル洗浄器と、
前記局部洗浄ノズルが前記収容位置にある状態で前記吐出口から洗浄水を吐出するように前記第２ノズル洗浄器への水供給を制御する制御装置と、
を備える洗浄便座装置。
【請求項６】
請求項５に記載の洗浄便座装置であって、
前記ノズルカバーは、少なくとも２つの前記局部洗浄ノズルを横並びに収容するように構成され、
前記第２ノズル洗浄器は、隣り合う前記局部洗浄ノズルの間に配置される
洗浄便座装置。
【請求項７】
請求項５または６に記載の洗浄便座装置であって、
前記制御装置は、前記局部洗浄ノズルによる局部洗浄の開始前に、前記吐出口から洗浄水を吐出するように前記第２ノズル洗浄器への水供給を制御する
洗浄便座装置。
【発明の詳細な説明】
【技術分野】
【０００１】
本発明は、洗浄便座装置に関する。
【背景技術】
【０００２】
従来、洗浄便座装置としては、使用者の局部に向けて洗浄水を吐出する局部洗浄ノズルと、局部洗浄後に局部洗浄ノズルに向けて洗浄水を吐出する洗浄手段とを備えるものが提案されている（例えば、特許文献１参照）。この洗浄便座装置では、局部洗浄ノズルの外表面を平滑処理した金属素材で構成することにより、局部洗浄ノズルの外表面に汚れの付着を防止したり、付着した汚れを洗浄手段からの洗浄水により洗い流しやすくしたりしている。
【先行技術文献】
【特許文献】
【０００３】
【特許文献１】特開２００８−１０６５０２号公報
【発明の概要】
【発明が解決しようとする課題】
【０００４】
上述した洗浄便座装置では、局部洗浄ノズルの外表面の素材を改質しているものの、その外表面の性状に応じた洗浄水の吐出方法については言及されていない。近年の清潔性に対する使用者の意識の向上により、局部洗浄ノズルの汚れの付着防止や汚れの除去などの要求も高まっていることから、局部洗浄ノズルの清潔性を保つために、なお改善の余地がある。
【０００５】
本発明は、局部洗浄ノズルの外表面の性状に適した洗浄水の吐出を行うことで、局部洗浄ノズルの清潔性を保つことを主目的とする。
【課題を解決するための手段】
【０００６】
本発明は、上述の主目的を達成するために以下の手段を採った。
【０００７】
本発明の洗浄便座装置は、外表面に親水性層を有し、使用者の局部に向けて洗浄水を吐出する局部洗浄を行う局部洗浄ノズルと、洗浄水が前記局部洗浄ノズルの外表面の少なくとも上部を伝うように、前記局部洗浄ノズルに向けて洗浄水を吐出するノズル洗浄を行うノズル洗浄器と、を備えることを要旨とする。
【０００８】
本発明の洗浄便座装置では、局部洗浄ノズルが外表面に親水性層を有しており、その局部洗浄ノズルの外表面の少なくとも上部を伝うようにノズル洗浄器の吐出口から局部洗浄ノズルに向けて洗浄水を吐出する。これにより、局部洗浄ノズルの外表面の上部を十分に濡らして親水性層の親水性能を適切に発揮させることができるから、局部洗浄ノズルの外表面に汚れが付着しにくいものとしたり、汚れが付着しても落ちやすいものとしたりすることができる。このように、外表面の親水性層が親水性能を発揮するのに適した洗浄水の吐出を行うことで、局部洗浄ノズルの清潔性を保つことができる。
【０００９】
本発明の洗浄便座装置において、前記ノズル洗浄器は、洗浄水を吐出する吐出口の向きが、鉛直下向きとは異なる向きとなるように設けられるものとしてもよい。こうすれば、局部洗浄ノズルの外表面に汚れが付着している場合に、鉛直上方から洗浄水を吐出することにより、汚れが外表面から剥がれずに留まったり、外表面から剥がれるまでに時間が掛かったりするのを防止することができる。このため、親水性層を有する局部洗浄ノズルの外表面の性状により適した洗浄水の吐出を行うことができる。
【００１０】
本発明の洗浄便座装置において、前記局部洗浄ノズルを収容し、収容位置と該収容位置よりも前方の洗浄位置との間で前記局部洗浄ノズルの進退移動が可能となるように前壁に開口が設けられたノズルカバーと、前記ノズル洗浄器として、前記ノズルカバーの前壁における前記開口の上方に前記進退移動の方向に沿った向きで吐出口が設けられる第１ノズル洗浄器と、前記局部洗浄ノズルが前記洗浄位置を含む前記ノズルカバーから進出した位置にある状態で前記吐出口から洗浄水を吐出するように前記第１ノズル洗浄器への水供給を制御する制御装置と、を備えるものとしてもよい。こうすれば、ノズルカバーの前壁に第１ノズル洗浄器の吐出口を設けるコンパクトな構成で、ノズルカバーから進出した位置にある局部洗浄ノズルに洗浄水をかけて親水性能を発揮させることができる。
【００１１】
この態様の本発明の洗浄便座装置において、前記制御装置は、前記局部洗浄ノズルによる局部洗浄の終了後に、前記吐出口から洗浄水を吐出するように前記第１ノズル洗浄器への水供給を制御するものとしてもよい。こうすれば、局部洗浄中に局部洗浄ノズルの外表面に汚れが付着した場合でも、第１ノズル洗浄器から吐出されて外表面の上部を伝う洗浄水が、外表面に付着した汚れと外表面の親水性層との間に入り込んで、汚れを外表面から浮かして除去することができる。
【００１２】
本発明の洗浄便座装置において、前記局部洗浄ノズルを収容し、収容位置と該収容位置よりも前方の洗浄位置との間で前記局部洗浄ノズルの進退移動が可能となるように構成されたノズルカバーと、前記ノズル洗浄器として、前記ノズルカバー内において、前記収容位置にある前記局部洗浄ノズルの外表面の上部の側方となる位置に吐出口が設けられる第２ノズル洗浄器と、前記局部洗浄ノズルが前記収容位置にある状態で前記吐出口から洗浄水を吐出するように前記第２ノズル洗浄器への水供給を制御する制御装置と、を備えるものとしてもよい。こうすれば、ノズルカバー内に第２ノズル洗浄器の吐出口を設けるコンパクトな構成で、収容位置にある局部洗浄ノズルに洗浄水をかけて親水性能を発揮させることができる。
【００１３】
この態様の本発明の洗浄便座装置において、前記ノズルカバーは、少なくとも２つの前記局部洗浄ノズルを横並びに収容するように構成され、前記第２ノズル洗浄器は、隣り合う前記局部洗浄ノズルの間に配置されるものとしてもよい。こうすれば、ノズルカバー内に第２ノズル洗浄器を設ける場合でも、高さを抑えたコンパクトな構成とすることができる。
【００１４】
この態様の本発明の洗浄便座装置において、前記制御装置は、前記局部洗浄ノズルによる局部洗浄の開始前に、前記吐出口から洗浄水を吐出するように前記第２ノズル洗浄器への水供給を制御するものとしてもよい。局部洗浄の開始前に局部洗浄ノズルの外表面を濡らして親水性能を適切に発揮させることができるから、局部洗浄中に局部洗浄ノズルに汚れが付着しにくいものとすることができる。
【図面の簡単な説明】
【００１５】
【図１】洗浄便座装置１０が取り付けられた便器１の外観斜視図である。
【図２】洗浄便座装置１０の構成の概略を示す構成図である。
【図３】ノズルユニット２０の外観斜視図である。
【図４】ノズルユニット２０の分解斜視図である。
【図５】局部洗浄ノズル２１，２２の断面図である。
【図６】前方洗浄器５０を前方から見た説明図である。
【図７】側方洗浄器５５の外観斜視図である。
【図８】側方洗浄器５５を前方から見た説明図である。
【図９】ノズルユニット作動処理の一例を示すフローチャートである。
【図１０】前方洗浄器５０からの洗浄水で汚れＤｉを除去する様子の説明図である。
【図１１】比較例の吐出口１０１から洗浄水を吐出する様子の説明図である。
【発明を実施するための形態】
【００１６】
次に、本発明を実施するための形態について説明する。
【００１７】
図１は洗浄便座装置１０が取り付けられた便器１の外観斜視図であり、図２は洗浄便座装置１０の構成の概略を示す構成図であり、図３はノズルユニット２０の外観斜視図であり、図４はノズルユニット２０の分解斜視図である。また、図５は局部洗浄ノズル２１，２２の断面図であり、図６は前方洗浄器５０を前方から見た説明図であり、図７は側方洗浄器５５の外観斜視図であり、図８は側方洗浄器５５を前方から見た説明図である。本実施形態において、左右方向、前後方向及び上下方向は、各図に示した通りとする。
【００１８】
便器１は、洋式便器であり、便器１の上面に洗浄便座装置１０が設置されている。洗浄便座装置１０は、図１に示すように、便器１の後方に設置される便座装置本体１１と、便座装置本体１１に回動自在に支持された便座１２と、便座装置本体１１に回動自在に支持された便蓋１３と、使用者により操作される操作パネル１４と、を備える。
【００１９】
便座装置本体１１は、図２，図３に示すように、２つの局部洗浄ノズルとしておしり洗浄ノズル２１とビデ洗浄ノズル２２とを有するノズルユニット２０と、洗浄便座装置１０全体を制御する制御装置６０とを備える。ノズルユニット２０は、給水源からの給水を所定の給水圧に減圧する給水減圧弁２３と、給水減圧弁２３を通過した洗浄水を加熱するヒータや温度センサが設けられた熱交換ユニット２５と、洗浄水の流量を調整する流量調整弁２７と、流量調整弁２７から出力された洗浄水の供給先を切り替える流路切替弁２９とを備える。また、ノズルユニット２０は、図２〜図４に示すように、おしり洗浄ノズル２１を前後方向に進退移動させるおしり洗浄ノズル駆動部３１と、ビデ洗浄ノズル２２を前後方向に進退移動させるビデ洗浄ノズル駆動部３２と、おしり洗浄ノズル２１とビデ洗浄ノズル２２の外周全体を覆うノズルカバー４０と、おしり洗浄ノズル２１とビデ洗浄ノズル２２の外表面を洗浄する前方洗浄器５０（図４では図示略）および側方洗浄器５５とを備える。
【００２０】
おしり洗浄ノズル２１とビデ洗浄ノズル２２は、伸縮しない単段式の軸状ノズル部材である。おしり洗浄ノズル２１とビデ洗浄ノズル２２は、それぞれ、図５に示すように、例えばステンレス鋼などの金属素材を円筒状に加工することで内部に洗浄水の流路が形成された中空円筒状のノズル本体２１ａ，２２ａと、ノズル本体２１ａ，２２ａの外表面に親水塗膜をコーティングすることなどにより形成された親水性層２１ｂ，２２ｂとにより構成されている。なお、このような親水性層の形成は、例えば特開２０００−３０８８６１号公報などに開示されている。また、図５では断面が円形状（円環形状）のものを例示したが、断面が楕円形状など上部（上面）に汚れが堆積しにくく落下しやすい曲面状に形成されるものであればよい。また、おしり洗浄ノズル２１とビデ洗浄ノズル２２を、複数段のノズル部材により伸縮可能に構成してもよい。
【００２１】
おしり洗浄ノズル駆動部３１は、図示は省略するが、駆動源としてのモータと、モータにより回転するピニオンギヤと、ピニオンギヤに噛み合うと共におしり洗浄ノズル２１に先端部が接続されピニオンギヤの回転に伴って移動可能なラック（フレキシブルラック）とを備え、モータの正回転または逆回転によりおしり洗浄ノズル２１を前方または後方に移動させる。また、ビデ洗浄ノズル駆動部３２も同様に構成されている。なお、制御装置６０は、おしり洗浄ノズル駆動部３１やビデ洗浄ノズル駆動部３２の各モータの回転量や図示しない位置センサなどから、おしり洗浄ノズル２１やビデ洗浄ノズル２２の位置を検出可能である。
【００２２】
ノズルカバー４０は、図３，図４に示すように、下カバー部材４１と、上カバー部材４３と、前壁部材４５とにより構成されている。下カバー部材４１は、前方に向かって斜め下方に傾斜する上面におしり洗浄ノズル２１とビデ洗浄ノズル２２がそれぞれ載置される。また、下カバー部材４１は、その幅方向両側縁に複数の係合爪４２を有しており、複数の係合爪４２が上カバー部材４３の対向する位置に設けられた複数の係合溝４４と係合することにより、上カバー部材４３が下カバー部材４１に取り付けられる。また、前壁部材４５は、下カバー部材４３の前方端に配設されている。前壁部材４５には、おしり洗浄ノズル２１とビデ洗浄ノズル２２がそれぞれ進退移動するための開口４５ａ，４５ｂが形成されている。これにより、おしり洗浄ノズル２１とビデ洗浄ノズル２２は、下カバー部材４１と上カバー部材４３と前壁部材４５とにより囲まれて、ノズルカバー４０に収容される。また、上カバー部材４３は、図４に示すように、左右方向中央に、前後方向に沿って矩形状（帯状）に形成された開口４３ａを有する。
【００２３】
前方洗浄器５０は、図３，図６に示すように、ノズルカバー４０の前壁部材４５に形成され前方に向けて開口した複数の吐出口５１と、洗浄水が供給される供給口５２と、供給口５２から各吐出口５１まで連通するように前壁部材４５内に形成された供給流路５３とが設けられている。吐出口５１は、前壁部材４５における開口４５ａ，４５ｂの上方位置に、おしり洗浄ノズル２１とビデ洗浄ノズル２２の進退移動方向（軸方向）に沿った向きで設けられている。なお、吐出口５１から吐出された洗浄水がおしり洗浄ノズル２１やビデ洗浄ノズル２２の外表面に到達しやすくなるように、吐出口５１がノズル進退方向に対して若干斜め下方を向くように形成されていてもよい。前方洗浄器５０は、おしり洗浄ノズル２１とビデ洗浄ノズル２２がノズルカバー４０から進出している状態（図３ではおしり洗浄ノズル２１が進出）で、おしり洗浄ノズル２１とビデ洗浄ノズル２２の根元側に洗浄水を吐出する。おしり洗浄ノズル２１とビデ洗浄ノズル２２は先端側が下がるようにノズルカバー４０から傾斜して進出するから、根元側に吐出された洗浄水はおしり洗浄ノズル２１とビデ洗浄ノズル２２の外表面の上部（洗浄ノズル断面における上側）を伝うように先端側に向かって流れるものとなる。
【００２４】
側方洗浄器５５は、図３，図４に示すように、おしり洗浄ノズル２１とビデ洗浄ノズル２２の間に配置されるように、上カバー部材４３の開口４３ａに取り付けられる。側方洗浄器５５は、図７，図８に示すように、左右方向（側方）に向けて左右両側が開口した複数の吐出口５６と、洗浄水が供給される供給口５７と、供給口５７から各吐出口５６まで連通する供給流路５８とが設けられている。吐出口５６は、水平方向（左右方向）で且つ収容位置にあるおしり洗浄ノズル２１とビデ洗浄ノズル２２の外表面の上部に側方から洗浄水を吐出する向きとなるように設けられている。また、吐出口５６は、おしり洗浄ノズル２１とビデ洗浄ノズル２２の長手方向（軸方向）に沿って、略全長に亘って複数並んで設けられている。このため、各吐出口５６から吐出された洗浄水は、おしり洗浄ノズル２１とビデ洗浄ノズル２２の外表面の上部を周方向に伝わると共に斜め下方に傾斜するおしり洗浄ノズル２１とビデ洗浄ノズル２２の外表面の上部を下方に向けて伝わるように流れるものとなる。これにより、側方洗浄器５５は、おしり洗浄ノズル２１とビデ洗浄ノズル２２の外表面の上部を略全長に亘って濡らすことができる。
【００２５】
おしり洗浄ノズル２１とビデ洗浄ノズル２２と前方洗浄器５０（供給口５２）と側方洗浄器５５（供給口５７）とは、図２に示すように、流路切替弁２９に接続されている。流路切替弁２９は、供給先をおしり洗浄ノズル２１とビデ洗浄ノズル２２と前方洗浄器５０（供給口５２）と側方洗浄器５５（供給口５７）のいずれかに切り替えるものであり、図示しないモータにより駆動されるロータリバルブやディスクバルブなどとして構成されている。
【００２６】
制御装置６０は、図示は省略するが、ＣＰＵを中心とするマイクロコンピュータとして構成されており、ＣＰＵの他にＲＯＭやＲＡＭ，入出力ポートなどを備える。制御装置６０には、図２に示すように、操作パネル１４からの操作信号や着座センサ１５からの検知信号などが入力ポートを介して入力される。また、制御装置６０からは、給水減圧弁２３への駆動信号や熱交換ユニット２５への駆動信号，流量調整弁２７への駆動信号，流路切替弁２９への駆動信号，おしり洗浄ノズル駆動部３１への駆動信号、ビデ洗浄ノズル駆動部３２への駆動信号などが出力ポートを介して出力されている。なお、操作パネル１４には、おしり洗浄を指示するおしり洗浄スイッチやビデ洗浄を指示するビデ洗浄スイッチ、洗浄の強さを調整する洗浄強さ調整スイッチ、洗浄の停止を指示する停止スイッチなどが設けられている。
【００２７】
次に、こうして構成された洗浄便座装置１０（ノズルユニット２０）の動作について説明する。図９は、ノズルユニット作動処理の一例を示すフローチャートである。制御装置６０は、着座センサ１５により使用者の便座１２への着座を判定した場合に、この処理を実行する。また、図示は省略するが、制御装置６０は、着座センサ１５により使用者の着座が検知されなくなった場合などに、この処理を終了する。
【００２８】
このノズルユニット作動処理では、制御装置６０は、まず、おしり洗浄ノズル２１とビデ洗浄ノズル２２がいずれも収容位置にある収容状態であるか否かを判定する（Ｓ１００）。着座センサ１５により使用者の便座１２への着座を判定してノズルユニット作動処理を開始した場合には、収容状態であると判定される。制御装置６０は、Ｓ１００で収容状態であると判定すると、局部洗浄（おしり洗浄またはビデ洗浄）の開始が指示されるのを待つ（Ｓ１１０）。Ｓ１１０の判定は、着座センサ１５からの検知信号により使用者が便座１２に着座していると判定している状態で、操作パネル１４からの操作信号によりおしり洗浄スイッチやビデ洗浄スイッチが操作されたか否かに基づいて行われる。
【００２９】
制御装置６０は、Ｓ１１０で局部洗浄の開始が指示されたと判定すると、流路切替弁２９を切り替えて流量調整弁２７から出力された洗浄水を側方洗浄器５５の吐出口５１から吐出させておしり洗浄ノズル２１とビデ洗浄ノズル２２の外表面を洗浄するノズル洗浄を開始して（Ｓ１２０）、ノズル洗浄の終了タイミングとなるのを待つ（Ｓ１３０）。Ｓ１２０のノズル洗浄により、おしり洗浄ノズル２１とビデ洗浄ノズル２２のいずれかが収容位置から洗浄位置への移動を開始する前即ち局部洗浄の開始直前に、おしり洗浄ノズル２１とビデ洗浄ノズル２２の外表面を洗浄水で濡らすことができる。このため、局部洗浄中にノズル外表面の上部に汚れが付着しようとしても、その汚れを滑り落ちやすくすることができる。また、制御装置６０は、Ｓ１２０でノズル洗浄を開始してから予め定められた局部洗浄前のノズル洗浄時間が経過したときに、Ｓ１３０でノズル洗浄の終了タイミングとなったと判定する。
【００３０】
制御装置６０は、Ｓ１３０でノズル洗浄の終了タイミングとなったと判定すると、ノズル洗浄を終了して局部洗浄を行う洗浄ノズル（おしり洗浄ノズル２１とビデ洗浄ノズル２２のいずれか）をノズルカバー４０から進出させ（Ｓ１４０）、流路切替弁２９を切り替えて流量調整弁２７から出力された洗浄水を局部洗浄を行う洗浄ノズルから吐出させて局部洗浄を開始して（Ｓ１５０）、Ｓ１００に戻る。おしり洗浄ノズル２１とビデ洗浄ノズル２２のいずれかがノズルカバー４０から進出していると、制御装置６０は、Ｓ１００で収容状態にないと判定し、局部洗浄（おしり洗浄またはビデ洗浄）の停止が指示されるのを待つ（Ｓ１６０）。Ｓ１６０の判定は、操作パネル１４の停止スイッチが操作されたか否かに基づいて行われる。制御装置６０は、局部洗浄の停止が指示されたと判定すると、局部洗浄を終了し（Ｓ１７０）、流路切替弁２９を切り替えて流量調整弁２７から出力された洗浄水を前方洗浄器５０の吐出口５１から吐出させることにより洗浄位置にあるおしり洗浄ノズル２１またはビデ洗浄ノズル２２の外表面を洗浄するノズル洗浄を開始する（Ｓ１８０）。これにより、局部洗浄の終了直後に、前方洗浄器５０から吐出した洗浄水を、洗浄位置にあるおしり洗浄ノズル２１またはビデ洗浄ノズル２２の外表面に伝わせて外表面を洗浄することができる。こうしてノズル洗浄を行うと、制御装置６０は、ノズル洗浄の終了タイミングとなったときに（Ｓ１９０）、ノズル洗浄を終了して洗浄位置にあるおしり洗浄ノズル２１またはビデ洗浄ノズル２２をノズルカバー４０内（収容位置）に収容して（Ｓ２００）、ノズルユニット作動処理を終了する。なお、制御装置６０は、Ｓ１８０でノズル洗浄を開始してから予め定められた局部洗浄後のノズル洗浄時間が経過したときに、Ｓ１９０でノズル洗浄の終了タイミングとなったと判定する。
【００３１】
ここで、図１０は前方洗浄器５０からの洗浄水で汚れＤｉを除去する様子の説明図であり、図１１は比較例の吐出口１０１から洗浄水を吐出する様子の説明図である。なお、図１０では、前方洗浄器５０の吐出口５１は図示するが、他の構成要素の図示は省略する。また、図１１では、比較例の洗浄器として鉛直下向きに吐出口１０１が設けられたものを示す。図１０，図１１では、局部洗浄を行ったおしり洗浄ノズル２１の外表面に汚れＤｉが付着している。なお、おしり洗浄ノズル２１は、図中右側が先端側で斜め下方に傾斜しているものである。図１０に示すように、前方洗浄器５０の吐出口５１から吐出された洗浄水Ｗａは、おしり洗浄ノズル２１の外表面の上部を伝うように流れて（図１０（ａ），（ｂ））、汚れＤｉの下面とおしり洗浄ノズル２１の外表面との間に入り込んで汚れＤｉを浮かせるように剥がして外表面から除去することができる（図１０（ｃ），（ｄ））。一方、比較例のように、鉛直下向きに設けられた吐出口１０１から洗浄水Ｗａを吐出するものでは（図１１（ａ），（ｂ））、汚れＤｉと外表面の間に洗浄水Ｗａが入り込みにくいものとなり、汚れＤｉが剥がれずに留まったり（図１１（ｃ））、剥がれるまでに時間が掛かったりしやすいものとなる。
【００３２】
以上説明した洗浄便座装置１０では、局部洗浄ノズルとしてのおしり洗浄ノズル２１やビデ洗浄ノズル２２が外表面に親水性層２１ａ，２２ａを有しており、その局部洗浄ノズルの外表面の少なくとも上部を伝うように前方洗浄器５０や側方洗浄器５５から洗浄水を吐出する。これにより、親水性層２１ａ，２２ａを有する局部洗浄ノズルの外表面を十分に濡らして、親水性層２１ａ，２２ａの親水性能を適切に発揮させることができる。このため、局部洗浄ノズルの外表面に汚れが付着しにくくなり、汚れが付着しても落ちやすいものとすることができるから、局部洗浄ノズルの清潔性を保つことができる。
【００３３】
また、洗浄便座装置１０では、前方洗浄器５０の吐出口５１や側方洗浄器５５の吐出口５６の向きが、鉛直下向きとは異なる向きとなるから、鉛直上方から洗浄水を吐出することで汚れが除去しにくくなるのを防止することができる。
【００３４】
また、洗浄便座装置１０では、ノズルカバー４０の前壁部４５に前方洗浄器５０の吐出口５１を設けるコンパクトな構成で、ノズルカバー４０から進出しているおしり洗浄ノズル２１やビデ洗浄ノズル２２に洗浄水をかけて親水性能を発揮させることができる。
【００３５】
また、洗浄便座装置１０では、局部洗浄の終了後に前方洗浄器５０の吐出口５１から洗浄水を吐出するから、局部洗浄中に外表面に付着した汚れと外表面の親水性層２１ａ，２２ａとの間に洗浄水が入り込むように流れて汚れを除去することができる。
【００３６】
また、洗浄便座装置１０では、ノズルカバー４０内に側方洗浄器５５の吐出口５１を設けるコンパクトな構成で、収容位置にあるおしり洗浄ノズル２１やビデ洗浄ノズル２２に洗浄水をかけて親水性能を発揮させることができる。また、おしり洗浄ノズル２１とビデ洗浄ノズル２２の間に側方洗浄器５５が配置されるから、ノズルユニット２０の高さを抑えたコンパクトな構成とすることができる。
【００３７】
また、洗浄便座装置１０では、局部洗浄の開始前に側方洗浄器５５の吐出口５１から洗浄水を吐出するから、外表面の親水性層２１ａ，２２ａを十分に濡らして親水性能を適切に発揮させて、局部洗浄中に付着した汚れが落ちやすいものとすることができる。
【００３８】
上述した実施形態では、局部洗浄の開始前に側方洗浄器５５から洗浄水を吐出し、局部洗浄の終了後に前方洗浄器５０から洗浄水を吐出するものとしたが、これに限られるものではない。例えば、局部洗浄の開始前だけでなく、局部洗浄の終了後におしり洗浄ノズル２１やビデ洗浄ノズル２２がノズルカバー４０内の収容位置まで移動したときに側方洗浄器５５から洗浄水を吐出してもよい。また、局部洗浄の終了後だけでなく、おしり洗浄ノズル２１やビデ洗浄ノズル２２が洗浄位置へ移動しているときや収容位置へ移動しているとき（ノズル移動中）、洗浄位置で局部に向けて洗浄水を吐出しているとき（局部洗浄中）に、前方洗浄器５０から洗浄水を吐出してもよい。局部洗浄用の洗浄水とノズル洗浄用の洗浄水とを同時に吐出することができるように、おしり洗浄ノズル２１やビデ洗浄ノズル２２への洗浄水の供給路と、前方洗浄器５０や側方洗浄器５５への洗浄水の供給路とを別々に設けるものとしてもよい。
【００３９】
実施形態では、前方洗浄器５０と側方洗浄器５５とをいずれも備えるものとしたが、これに限られず、前方洗浄器５０と側方洗浄器５５のうちいずれか一方のみを備えるものとしてもよい。前方洗浄器５０のみを備える場合、局部洗浄の終了後だけでなく、局部洗浄ノズルの移動中や局部洗浄中に洗浄水を吐出してもよい。また、側方洗浄器５５のみを備える場合、局部洗浄の開始前だけでなく、局部洗浄の終了後に局部洗浄ノズルのノズルカバー４０内への移動中やノズルカバー４０内への収容後に洗浄水を吐出してもよい。
【００４０】
実施形態では、側方洗浄器５５の吐出口５６がおしり洗浄ノズル２１やビデ洗浄ノズル２２の長手方向に沿って略全長に亘って複数並んで設けられるものとしたが、これに限られるものではない。例えば、収容位置にあるおしり洗浄ノズル２１やビデ洗浄ノズル２２の先端（前方端）側の位置に設けて、おしり洗浄ノズル２１やビデ洗浄ノズル２２が洗浄位置に移動しているときなどに洗浄水を吐出してもよい。また、側方洗浄器５５をおしり洗浄ノズル２１とビデ洗浄ノズル２２の間の位置に配置するものとしたが、これに限られず、おしり洗浄ノズル２１とビデ洗浄ノズル２２の間以外の位置に配置するものなどとしてもよい。例えば、おしり洗浄ノズル２１の右側方位置とビデ洗浄ノズル２２の左側方位置とにそれぞれ配置するものなどとしてもよい。
【００４１】
実施形態では、おしり洗浄ノズル２１とビデ洗浄ノズル２２の２本の洗浄ノズルを備えるものとしたが、これに限られず、３本以上の複数の洗浄ノズルを備えるものとしてもよいし、１本の洗浄ノズルを備えるものとしてもよい。洗浄ノズルを３本以上備える場合には、各洗浄ノズルの間の位置にそれぞれ側方洗浄器を配置するものとしてもよい。洗浄ノズルを１本備える場合には、その洗浄ノズルの右側方位置や左側方位置に側方洗浄器を配置するものとしてもよい。
【００４２】
実施形態では、図５に示すように洗浄ノズルの断面は円形状（円環形状）とし、楕円形状などの曲面状でもよいものとしたが、これに限られず、洗浄ノズルの断面は上部が平坦状（平面状）などとしてもよい。
【００４３】
本実施形態の主要な要素と課題を解決するための手段の欄に記載した発明の主要な要素との対応関係について説明する。本実施形態では、洗浄便座装置１０が「洗浄便座装置」に相当し、おしり洗浄ノズル２１やビデ洗浄ノズル２２が「局部洗浄ノズル」に相当し、前方洗浄器５０と側方洗浄器５５とが「ノズル洗浄器」に相当する。また、ノズルカバー４０が「ノズルカバー」に相当し、前方洗浄器５０が「第１ノズル洗浄器」に相当し、制御装置６０が「制御装置」に相当する。また、側方洗浄器５５が「第２ノズル洗浄器」に相当する。
【００４４】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４５】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４６】
本発明は、洗浄便座装置の製造産業などに利用可能である。
【符号の説明】
【００４７】
１  便器、１０  洗浄便座装置、１１  便座装置本体、１２  便座、１３  便蓋、１４  操作パネル、１５  着座センサ、２０  ノズルユニット、２１  おしり洗浄ノズル、２２  ビデ洗浄ノズル、２１ａ，２２ａ  ノズル本体、２１ｂ，２２ｂ  親水性層、２３  給水減圧弁、２５  熱交換ユニット、２７  流量調整弁、２９  流路切替弁、３１  おしり洗浄ノズル駆動部、３２  ビデ洗浄ノズル駆動部、４０  ノズルカバー、４１  下カバー部材、４２  係合爪、４３  上カバー部材、４３ａ  開口、４４  係合溝、４５  前壁部材、４５ａ，４５ｂ  開口、５０  前方洗浄器、５１  吐出口、５２  供給口、５３  供給流路、５５  側方洗浄器、５６  吐出口、５７  供給口、５８  供給流路、６０  制御装置、１０１  吐出口、Ｄｉ  汚れ、Ｗａ  洗浄水。
【図１】
2019073895.tif 000003
【図２】
2019073895.tif 000004
【図３】
2019073895.tif 000005
【図４】
2019073895.tif 000006
【図５】
2019073895.tif 000007
【図６】
2019073895.tif 000008
【図７】
2019073895.tif 000009
【図８】
2019073895.tif 000010
【図９】
2019073895.tif 000011
【図１０】
2019073895.tif 000012
【図１１】
2019073895.tif 000013